(57)【特許請求の範囲】
【請求項１】
吸水性の編地を有する身生地本体に対応させる襟であって、首接触域と後方への折り返し域とを有し、前記首接触域は疎水性の素材でリバーシブルインターシャ編みにより形成されると共に、後方への折り返し域は身生地本体の表面と同様の素材で形成されたことを特徴とする襟。
【請求項２】
吸水性の編地を有する身生地本体に対応させる襟であって、首接触側地と首非接触側地とを具備し、前記首接触側地の首接触域は疎水性の素材で形成されると共に、首非接触側地は身生地本体の表面と同様の素材で形成され、前記首接触域は疎水性の素材でリバーシブルインターシャ編みにより形成されることを特徴とする襟。
【請求項３】
前記首接触側地は後方へ折り返し域を有するとともに、後方への折り返し域は身生地本体の表面と同様の素材で形成された請求項２記載の襟。
【請求項４】
前記首接触域の使用素材の公定水分率を約３％以下、編み地の湿潤摩擦係数を約５０ｇ以下、吸水性を滴下法（ＪＩＳ Ｌ １９０７）で約１秒以内に設定した請求項２又は３記載の襟。
【請求項５】
吸水性の編地を有する身生地本体を具備し請求項１乃至４のいずれかに記載の襟を有する衣類。
【発明の詳細な説明】
【０００１】
【発明の属する技術分野】
この発明は、発汗による肌へのべたつきを軽減することができる襟及びこの襟を有する衣類に関するものである。
【０００２】
【従来の技術】
従来より、ゴルフやテニス、ジョギングその他の各種スポーツを楽しむ際また普段着としてもポロシャツが愛用されている。
【０００３】
図９に示すようにこのポロシャツは、顎から下方に切れ込んだ袷わせ部11から胸の内方に通風して心地よいと共に、襟12が付いていて幾分フォーマルな雰囲気も併せ持つ。一般的にその身生地本体13は蒸れに強くて着心地がいい吸水性生地（例えば綿など）で編み立てられ、襟12も同様に吸水性生地で編み立てられている。
【０００４】
しかし、発汗してシャツが全体的に湿ってくると、吸水した襟12が首すじにまとわりついて不快感を感じることがある。よって、襟12だけを疎水性生地（例えばポリエステルなど）で形成することも考えられるが、吸水性生地の身生地本体13に対して疎水性生地の襟12の素材感（光沢や染料等の相違による見ため）の違いから外観的にちぐはぐで違和感があるものとなってしまうという問題があった。
【０００５】
【発明が解決しようとする課題】
そこでこの発明は、身生地本体と違和感がなく発汗時の首すじのまとわりつきを従来よりも軽減できる襟及びこの襟を有する衣類を提供しようとするものである。
【０００６】
【課題を解決するための手段】
前記課題を解決するためこの発明では次のような技術的手段を講じている。
▲１▼  この発明の襟は、吸水性の編地を有する身生地本体に対応させるものであって、首接触域と後方への折り返し域とを有し、前記首接触域は疎水性の素材で形成されると共に、後方への折り返し域は身生地本体の表面と同様の素材で形成されたことを特徴とする。
【０００７】
なお、この明細書で疎水性とは難保水性をも包含する概念とする。また身生地本体は単層ではなく、表面側（身体非接触側）が保水性の素材（綿など）で裏面側（身体接触側）が疎水性の素材（ポリエステルやエチレンビニルアルコールなど）の２層以上としてもよい。
【０００８】
この襟を有する衣類を着用すると、首接触域は疎水性の素材で形成されているので、発汗してシャツが全体的に湿ってきても首すじのまとわりつきを従来より軽減することができる。また、この襟の後方への折り返し域（身生地本体の表面と同様の素材）は後ろから見ると首接触域の後方側と重なるので、首接触域（疎水性の素材）の裏面側は後ろからは殆ど見えず折り返し域が後ろから見えるのであるが、折り返し域は身生地本体の表面と同様の素材で形成されており、素材感（光沢等の見ため）も近く身生地本体と違和感がない。
▲２▼  またこの発明の襟は、吸水性の編地を有する身生地本体に対応させるものであって、首接触側地と首非接触側地とを具備し、前記首接触側地の首接触域は疎水性の素材で形成されると共に、首非接触側地は身生地本体の表面と同様の素材で形成されたことを特徴とする。
【０００９】
この襟を有する衣類を着用すると、首接触域は疎水性の素材で形成されているので、発汗してシャツが全体的に湿ってきても首すじのまとわりつきを従来より軽減することができる。また、襟を立ててリブ襟として着用した場合、後ろから見える首非接触側地は身生地本体の表面と同様の素材で形成されているので、素材感（光沢等の見ため）も近く身生地本体と違和感がない。
▲３▼  前記首接触側地は後方へ折り返し域を有すると共に、後方への折り返し域は身生地本体の表面と同様の素材で形成されたこととしてもよい。
【００１０】
このように構成すると、襟の上方を後方への折り返して▲１▼と同様にポロ襟として着用した場合、後ろから見える後方への折り返し域は身生地本体の表面と同様の素材で形成されているので、素材感（光沢等の見ため）も近く身生地本体と違和感がない。
▲４▼  前記首接触側地の首接触域をリバーシブルインターシャ編みとし、その他の部分はリバーシブルリブ編み或いはリバーシブルジャガード編みとしたこととしてもよい。
【００１１】
このようにして一体的に編み上げた構造とすると、風合い、伸び、見栄えがよいと共に汗が首接触部からその他の部分へ速やかに移動し水分が残りにくい。なおその他の部分とは、首接触側地の首接触域以外や首非接触側地である。
▲５▼  前記首接触域の使用素材の公定水分率を約３％以下、編み地の湿潤摩擦係数を約５０ｇ以下、吸水性を滴下法（ＪＩＳ  Ｌ  １９０７）で約１秒以内に設定したこととしてもよい。
【００１２】
このように設定すると、発汗地において水分を首接触域から速やかに移動させて、首接触域に水分が残りにくくべたつきを抑えることを好適に発揮させることができる。なお各測定方法は発明の実施の形態項に記載の通りである。
▲６▼  さらにこの発明の衣類は、吸水性の編地を有する身生地本体を具備し前記いずれかの襟を有する。
【００１３】
【発明の実施の形態】
以下、この発明の実施の形態を図面を参照して説明する。
（実施形態１）
図１乃至図３に示すように、この実施形態では衣類として、襟１と吸水性の編地を有する身生地本体２を有するポロシャツを形成した。
【００１４】
前記身生地本体２は、綿やＴ／Ｃ（ポリエステルと綿）混紡糸などのような吸水性と保水性がある素材で形成している。一方、襟１は首接触域３と後方への折り返し域４とを有し、襟１の後方への折り返し域４は身生地本体２と同じ素材で形成している。
【００１５】
前記首接触域３は疎水性の素材で、リブや鹿の子、ボーダー、ストライプ等の目移しのリバーシブルインターシャ組織などに形成することができる。この首接触域３は難保水性の素材とすることもでき、その使用素材の公定水分率は約３％以下とすることが好ましい。
【００１６】
また、首接触域３の使用素材の編み地の湿潤摩擦係数は約５０ｇ以下とすることが好ましい。ここで、前記湿潤摩擦係数の測定方法は次の通りである。ドラム式布摩擦力試験機（大栄科学精器製作所社製、形式ＤＦ−２００Ｆ）を用い、金属製ローラー（直径５ｃｍ）に試験片（５×２０ｃｍ）を接触させ、ローラーを回転させた時の抵抗力を湿潤状態にて測定した。この際、試験の環境条件は２０℃で６５％ＲＴにおいて、水分与量は０．５ｍｌ、ローラーの回転速度は４ｃｍ／ｍｉｎ、荷重は３０ｇｆに設定して摩擦抵抗を測定した。
【００１７】
さらに、首接触域３の使用素材の吸水性は滴下法（ＪＩＳ  Ｌ  １９０７）で約１秒以内とすることが好ましい。
【００１８】
首接触域３の使用素材の公定水分率、編み地の湿潤摩擦係数、吸水性のそれぞれを上記のように設定すると、発汗地において水分を首接触域３から速やかに移動させて、首接触域３に水分が残りにくくべたつきを抑えることを好適に発揮させることができるという利点がある。
【００１９】
次に、この実施形態の襟を有する衣類の使用状態を説明する。
【００２０】
この襟１を有する衣類を着用すると、首接触域３は疎水性の素材で形成されているので、発汗してシャツが全体的に湿ってきても首すじのまとわりつきを従来より軽減することができ快適に運動することができる。
【００２１】
また、この襟１の後方への折り返し域４（身生地本体２と同じ素材）は後ろから見ると首接触域３の後方側と重なるので、首接触域３（疎水性の素材）の裏面側は後ろからは殆ど見えず折り返し域４が後ろから見えるのであるが、折り返し域４は身生地本体２と同じ素材で形成されており、素材感（光沢等の見ため）も近く身生地本体２と違和感がない。
【００２２】
ここで、首接触域３の横幅を約３ｃｍ以上とし高さを約１ｃｍ以上とすると、前記のような機能をより好適に発揮し得る。
（実施形態２）
次に、実施形態２を実施形態１との相違点を中心に説明する。
【００２３】
図４乃至図８に示すように、この実施形態の襟１は、首接触側地５と首非接触側地６とを具備する。そして、前記首接触側地５の首接触域３は疎水性の素材で形成されると共に、首非接触側地６は身生地本体２と同じ素材で形成されている。また、この襟１の首接触側地５は後方へ折り返し域４を有すると共に、後方への折り返し域４は身生地本体２と同じ素材で形成している。
【００２４】
この襟１（リバーシブルインターシャの鹿の子目移し柄）は、次のようにして形成した。ジャガード編み機（１４ゲージ）を使用し、図８の組織図にしたがい、綿糸（６０／２）でリバーシブルのリブ編（首接触側地５の首接触域３以外、及び首非接触側地６）を形成し、その編み地の中で首接触側地５の首接触域３のみポリエステル繊維或いはエチレンビニルアルコール繊維（１６５ｄｔｅｘ）で糸の置き換えを行った。(1) (2) (3) (4) の部分に疎水性の繊維が入り、その他の(5) 〜(16)は吸水性の繊維となる。すなわち襟１は全体的にはリバーシブルリブで編み、首接触域３のみを図示の組織で編んだ。
【００２５】
具体的には、首接触側地５の首接触域３はフィラメント糸（５５ｄｔｅｘ〜１６５ｄｔｅｘ）のリバーシブルインターシャ編みとし、その他（首接触側地５の首接触域３以外、及び首非接触側地６）は綿糸（２０／１〜５０／１又は４０／２〜１００／２）のリバーシブルリブ編み或いはリバーシブルジャガード編みとした。
【００２６】
このように疎水性の素材を単に襟に貼り付けた構成とするのではなく、前記の通り、首接触側地５の首接触域３をリバーシブルインターシャ編みとし、その他（首接触側地５の首接触域３以外、及び首非接触側地６）はリバーシブルリブ編み或いはリバーシブルジャガード編みとし、一体的に編み上げた構造であるので、風合い、伸び、見栄えがよいと共に汗が速やかに移動し首接触部に水分が残りにくい。
【００２７】
なお、この襟１の湿潤摩擦係数（実施形態１参照）は４７ｇであった。因みに、従来の綿糸（６０／２）ポロ襟の湿潤摩擦係数は６０ｇであった。
【００２８】
次に、この実施形態の襟を有する衣類の使用状態を説明する。
【００２９】
この襟１を有するポロシャツを着用すると、首接触域３は疎水性の素材で形成されているので、発汗してシャツが全体的に湿ってきても首すじのまとわりつきを従来より軽減することができる。
【００３０】
また、襟を立ててリブ襟として着用した場合（図示せず）、後ろから見える首非接触側地６は身生地本体２と同じ素材で形成されているので、素材感（光沢等の見ため）も近く身生地本体２と違和感がない。
【００３１】
さらに、この襟１の首接触側地５は後方へ折り返し域４を有すると共に後方への折り返し域４は身生地本体２と同じ素材で形成しているので、襟１の上方を後方への折り返してポロ襟として着用した場合（図４及び図５参照）、後ろから見える後方への折り返し域４は身生地本体２と同じ素材で形成されているので、素材感（光沢等の見ため）も近く身生地本体２と違和感がない。
【００３２】
【発明の効果】
この発明は上述のような構成であり、次の効果を有する。
【００３３】
身生地本体と違和感がなく発汗時の首すじのまとわりつきを従来よりも軽減できる襟及びこの襟を有する衣類を提供することができる。
【図面の簡単な説明】
【図１】この発明の襟を有する衣類の実施形態１を説明する斜視図。
【図２】図１の襟だけを説明する斜視図。
【図３】図２の襟の正面図。
【図４】この発明の襟を有する衣類の実施形態２を説明する斜視図。
【図５】図４の襟だけを説明する斜視図。
【図６】図５の襟の正面図。
【図７】図５の襟の背面図。
【図８】図５の襟の作成のための組織図。
【図９】襟を有する衣類（ポロシャツ）を説明する全体斜視図。
【符号の説明】
１  襟
２  身生地本体
３  首接触域
４  折り返し域
５  首接触側地
６  首非接触側地
【図１】
0004217817.tif 000002
【図２】
0004217817.tif 000003
【図３】
0004217817.tif 000004
【図４】
0004217817.tif 000005
【図５】
0004217817.tif 000006
【図６】
0004217817.tif 000007
【図７】
0004217817.tif 000008
【図８】
0004217817.tif 000009
【図９】
0004217817.tif 000010